(57)【要約】【課題】電池セルに加わる拘束荷重の偏りを小さくすること。【解決手段】電池モジュール１０は、筐体７１に収容されている。電池モジュール１０は、電池体１１を有している。電池体１１は、電池セル１２の並設方向の両側に設けられたエンドプレート２１，２２によって挟持されている。電池モジュール１０は、第１エンドプレート２１及び第２エンドプレート２２に固定された変形抑制部材４１，４２を備えている。各変形抑制部材４１，４２は、挟持部２３の長手方向第２端部２６を含んで各エンドプレート２１，２２に架設されている。【選択図】図１
2015230765.tif 000002
【特許請求の範囲】
【請求項１】
並設された複数の電池セルを有する電池体と、
前記電池体を前記電池セルの並設方向の両側から挟持する第１エンドプレート及び第２エンドプレートと、
前記第１エンドプレート及び前記第２エンドプレートに対して前記複数の電池セルを拘束する拘束荷重を加えている拘束部材と、を備えた電池モジュールであって、
前記第１エンドプレート及び前記第２エンドプレートは、被固定部材に固定される固定端と、前記固定端とは反対側に設けられるとともに、前記被固定部材に固定されない非固定端とを有し、
前記第１エンドプレート及び前記第２エンドプレートには、前記非固定端を含んで前記第１エンドプレート及び前記第２エンドプレートに前記電池体を跨いで架設されて、前記電池セルの並設方向の膨張に伴う前記第１エンドプレートの前記非固定端と前記第２エンドプレートの前記非固定端との離間を抑制する変形抑制部材を有し、
前記変形抑制部材は、前記電池セルの並設方向と直交する方向に前記電池体から離間している電池モジュール。
【請求項２】
前記変形抑制部材は、前記電池セルの並設方向に並んで設けられた第１部材と、第２部材とを有し、
前記第１部材は、前記電池セルの並設方向に延びる第１延設部を有し、
前記第２部材は、前記電池セルの並設方向に延びる第２延設部を有し、
前記第１延設部と前記第２延設部とは、互いに重なって前記変形抑制部材の並設方向の長さを調整可能な重合部位を有し、
前記第１部材と前記第２部材とは、固定具によって前記重合部位で固定されている請求項１に記載の電池モジュール。
【請求項３】
前記拘束部材は、前記第１エンドプレート及び前記第２エンドプレートを挿通したボルトと、前記ボルトに螺合されたナットであり、
前記変形抑制部材は、前記ボルト及び前記ナットによって前記第１エンドプレート及び前記第２エンドプレートに固定されている請求項１又は請求項２に記載の電池モジュール。
【発明の詳細な説明】
【技術分野】
【０００１】
本発明は、並設された複数の電池セルを有する電池モジュールに関する。
【背景技術】
【０００２】
二次電池の電極は、充放電に伴い膨張と収縮を繰り返す。電極の膨張と収縮が繰り返されると、電極同士の間隔が大きくなったり、電極が歪むことで二次電池の抵抗値が大きくなったりする。
【０００３】
特許文献１では、複数の電池セル（電池素子）が並んで設けられている。複数の電池セルは正極と、負極と、正極と負極との間に設けられたセパレータとを有している。複数の電池セルは、エンドプレート（樹脂）によって挟み込まれており、エンドプレートは、電池セルの膨張を抑制するように正極若しくは負極からセパレータへ加圧力を付与している。これにより、正極と負極との間隔が大きくなったり、正極や負極が歪んだりすることが抑制されている。
【先行技術文献】
【特許文献】
【０００４】
【特許文献１】特開２０１３−２６０９０号公報
【発明の概要】
【発明が解決しようとする課題】
【０００５】
ところで、エンドプレートからの拘束荷重が電池セルの一部分に集中するなど、電池セルに加わる拘束荷重に偏りが生じていると、リチウムイオン電池の場合、リチウムの析出などの電池セルの劣化を招くため、電池セルに加わる拘束荷重の偏りを小さくすることが望まれている。
【０００６】
本発明の目的は、電池セルに加わる拘束荷重の偏りを小さくすることができる電池モジュールを提供することにある。
【課題を解決するための手段】
【０００７】
上記課題を解決する電池モジュールは、並設された複数の電池セルを有する電池体と、前記電池体を前記電池セルの並設方向の両側から挟持する第１エンドプレート及び第２エンドプレートと、前記第１エンドプレート及び前記第２エンドプレートに対して前記複数の電池セルを拘束する拘束荷重を加えている拘束部材と、を備えた電池モジュールであって、前記第１エンドプレート及び前記第２エンドプレートは、被固定部材に固定される固定端と、前記固定端とは反対側に設けられるとともに、前記被固定部材に固定されない非固定端とを有し、前記第１エンドプレート及び前記第２エンドプレートには、前記非固定端を含んで前記第１エンドプレート及び前記第２エンドプレートに前記電池体を跨いで架設されて、前記電池セルの並設方向の膨張に伴う前記第１エンドプレートの前記非固定端と前記第２エンドプレートの前記非固定端との離間を抑制する変形抑制部材を有し、前記変形抑制部材は、前記電池セルの並設方向と直交する方向に前記電池体から離間している。
【０００８】
これによれば、電池セルが膨張すると、各エンドプレートには荷重が加わる。このとき、各エンドプレートの固定端は、被固定部材に固定されている一方で、非固定端は被固定部材に固定されていないため、各エンドプレートの非固定端は、互いに離間するように変形しようとする。各エンドプレートが変形すると、電池セルへの拘束荷重のばらつきが大きくなるが、変形抑制部材によって非固定端同士が離間するように変形することが抑制されるため、電池セルが膨張しても、電池セルへの拘束荷重が偏りにくい。
【０００９】
上記電池モジュールについて、前記変形抑制部材は、前記電池セルの並設方向に並んで設けられた第１部材と、第２部材とを有し、前記第１部材は、前記電池セルの並設方向に延びる第１延設部を有し、前記第２部材は、前記電池セルの並設方向に延びる第２延設部を有し、前記第１延設部と前記第２延設部とは、互いに重なって前記変形抑制部材の並設方向の長さを調整可能な重合部位を有し、前記第１部材と前記第２部材とは、固定具によって前記重合部位で固定されていることが好ましい。
【００１０】
これによれば、各エンドプレート間の長さに合わせて変形抑制部材の寸法を調整することができる。このため、各部材の製造誤差によって各エンドプレート間の寸法が異なっていても、変形抑制部材を各エンドプレートに固定することができる。
【００１１】
上記電池モジュールについて、前記拘束部材は、前記第１エンドプレート及び前記第２エンドプレートを挿通したボルトと、前記ボルトに螺合されたナットであり、前記変形抑制部材は、前記ボルト及び前記ナットによって前記第１エンドプレート及び前記第２エンドプレートに固定されていることが好ましい。
【００１２】
これによれば、ボルト及びナットを拘束部材及び変形抑制部材を各エンドプレートに固定するための部材として兼用することができる。したがって、変形抑制部材を各エンドプレートに固定するための部材を別に設ける必要がなく、部品点数の増加を抑制することができる。
【発明の効果】
【００１３】
本発明によれば、電池セルに加わる拘束荷重の偏りを小さくすることができる。
【図面の簡単な説明】
【００１４】
【図１】実施形態の電池モジュールが筐体に収容された状態を示す斜視図。
【図２】実施形態の電池モジュールが筐体に収容された状態を示す断面図。
【図３】実施形態の変形抑制部材を示す斜視図。
【図４】実施形態の変形抑制部材を示す斜視図。
【図５】実施形態の電池モジュールをケース本体に収容するときの斜視図。
【発明を実施するための形態】
【００１５】
以下、電池モジュールの一実施形態について説明する。
図１及び図２に示すように、電池モジュール１０は、被固定部材としての筐体７１に収容されている。筐体７１は、有底筒状のケース本体７２と、ケース本体７２の開口部７２ａを閉塞する蓋７３とを有している。電池モジュール１０は、電池体１１を有している。本実施形態の電池体１１は、並設された複数の電池セル１２と、各電池セル１２をそれぞれ個別に保持する電池ホルダ１３とを有している。電池セル１２は、例えば、リチウムイオン電池などの二次電池である。電池セル１２は、ケース１４の内部に電極組立体１５を有している。電極組立体１５は、正負の電極の間にセパレータを介在させたものである。
【００１６】
電池体１１は、電池セル１２の並設方向の両側に設けられたエンドプレート２１，２２によって挟持されている。本実施形態のエンドプレート２１，２２は、板材を折り曲げ加工したものであり、電池セル１２を挟持する板状の挟持部２３と、筐体７１に電池モジュール１０を固定するための板状のモジュール固定部２４とを有している。本実施形態では、挟持部２３は矩形状であり、モジュール固定部２４は挟持部２３の長手方向第１端部２５から挟持部２３の厚み方向に延びている。
【００１７】
挟持部２３の短手方向第１端部２７には、短手方向に向けて突出する第１挿通部２９が設けられている。本実施形態において、第１挿通部２９は、挟持部２３の長手方向に間隔を空けて２つ設けられている。第１挿通部２９は、挟持部２３の長手方向の中央に寄って設けられている。挟持部２３の短手方向第２端部２８には、短手方向に向けて突出する第２挿通部３０が設けられている。本実施形態において、第２挿通部３０は、挟持部２３の長手方向に間隔を空けて２つ設けられている。第２挿通部３０は、挟持部２３の長手方向両端に寄って設けられている。以下の説明において、説明の便宜上、エンドプレート２１を第１エンドプレート２１とし、エンドプレート２２を第２エンドプレート２２として説明を行う。
【００１８】
電池モジュール１０は、第１エンドプレート２１及び第２エンドプレート２２に固定された変形抑制部材４１，４２を複数（本実施形態では２個）備えている。２個の変形抑制部材４１，４２のうち、変形抑制部材４１を第１変形抑制部材４１、変形抑制部材４２を第２変形抑制部材４２として説明を行う。
【００１９】
図３及び図４に示すように、第１変形抑制部材４１は、全体としてＵ字状である。第１変形抑制部材４１は、ともにＬ字状をなす第１部材５１及び第２部材６１を有している。第１部材５１は、板状の第１固定部５２と、第１固定部５２から第１固定部５２の厚み方向に向けて延設された板状の第１延設部５３とを有している。第１固定部５２には、厚み方向に貫通する第１挿通孔５４が設けられている。第１固定部５２及び第１延設部５３は、ともに矩形状であり、第１延設部５３は、第１固定部５２の長手方向の端部から延設されている。
【００２０】
第１延設部５３の短手方向の両端には、第１延設部５３の厚み方向に向けて突出する突出部５５が設けられている。各突出部５５は、第１延設部５３の長手方向全体に亘って延びている。これにより、第１延設部５３と、各突出部５５とに囲まれる領域には、溝部５６が区画されている。第１延設部５３には、厚み方向に貫通する長孔５７が設けられている。長孔５７は、長手方向が第１延設部５３の延設方向に延びており、第１延設部５３の短手方向に並んで複数箇所（本実施形態では２箇所）に設けられている。また、各突出部５５の先端である第１延設部５３からの突出端には、第１凹部５８が設けられている。
【００２１】
第２部材６１は、板状の第２固定部６２と、第２固定部６２から第２固定部６２の厚み方向に向けて延設された板状の第２延設部６３とを有している。第２固定部６２には、厚み方向に貫通する第２挿通孔６４が設けられている。本実施形態では、第２固定部６２及び第２延設部６３は、ともに矩形状であり、第２延設部６３は、第２固定部６２の長手方向の端部から延設されている。
【００２２】
第２延設部６３は、溝部５６に挿入することができる寸法に設定されている。本実施形態では、第２延設部６３の短手方向の寸法は、第１部材５１の各突出部５５間の寸法、すなわち突出部５５の対向する内面間の寸法に比べて若干小さい。第２延設部６３には、短手方向に並んで複数箇所（本実施形態では２箇所）にネジ孔６５が設けられている。第２延設部６３の厚み方向の面のうち、第２固定部６２側の面には、短手方向の全体に亘って延びる第２凹部６６が設けられている。
【００２３】
第１延設部５３の延設方向の寸法と、第２延設部６３の延設方向の寸法とを合わせると、第１エンドプレート２１と、第２エンドプレート２２との互いに対向する内面とは反対側の外面間の寸法よりも長い。
【００２４】
第１変形抑制部材４１は、第１部材５１の溝部５６に第２部材６１の第２延設部６３が挿入されることでＵ字状に構成されている。第１部材５１の溝部５６に挿入された分だけ、第２部材６１は第１部材５１と重なり合う。したがって、第１部材５１において、溝部５６に挿入された第２部材６１に重なり合う部分が第１部材５１の第１重合部位５９となる。また、第２部材６１において、第１部材５１の溝部５６に挿入されている部分が第２部材６１の第２重合部位６９となる。第１部材５１と第２部材６１とは、各長孔５７に挿入された固定具としてのネジ６７がネジ孔６５に螺合されることで、ネジ６７の頭部の押しつけ力によって重合部位５９，６９で固定されている。
【００２５】
第２変形抑制部材４２は、第１固定部５２及び第２固定部６２の寸法が異なる点を除いて、第１変形抑制部材４１と同一の構成であるため、第２変形抑制部材４２の各部位に、第１変形抑制部材４１と同一の符号を付して詳細な説明を省略する。第２変形抑制部材４２の第１固定部５２及び第２固定部６２は、第１変形抑制部材４１の第１固定部５２及び第２固定部６２に比べて、長手方向の寸法が短い。
【００２６】
図１に示すように、各変形抑制部材４１，４２の第１固定部５２は、第１エンドプレート２１に固定されている。第２固定部６２は、第２エンドプレート２２に固定されている。
【００２７】
第１変形抑制部材４１の第１固定部５２は、第１エンドプレート２１の第１挿通部２９のうち、長手方向第２端部２６側の第１挿通部２９と重ね合わせて設けられるとともに、挟持部２３の長手方向第２端部２６側に延びて長手方向第２端部２６から一部が突出している。第１変形抑制部材４１の第２固定部６２は、第２エンドプレート２２の第１挿通部２９のうち、長手方向第２端部２６側の第１挿通部２９と重ね合わせて設けられるとともに、長手方向第２端部２６側に延びて長手方向第２端部２６から一部が突出している。そして、第１変形抑制部材４１において、第１固定部５２の第１挿通孔５４には、第２固定部６２の第２挿通孔６４に向けてボルトＢ１が挿通されている。第１変形抑制部材４１において、第１挿通孔５４に挿通されたボルトＢ１は、第１固定部５２、第１エンドプレート２１の第１挿通部２９、各電池ホルダ１３、第２エンドプレート２２の第１挿通部２９及び第２固定部６２を挿通してナットＮ１に螺合されている。これにより、第１変形抑制部材４１は、各挟持部２３の長手方向第２端部２６を含んで第１エンドプレート２１及び第２エンドプレート２２に電池体１１を跨いで架設されている。すなわち、第１変形抑制部材４１によって各エンドプレート２１，２２における挟持部２３の長手方向第２端部２６が挟持されている。
【００２８】
第２変形抑制部材４２の第１固定部５２は、第１エンドプレート２１の第２挿通部３０のうち、長手方向第２端部２６側の第２挿通部３０と重ね合わせて設けられるとともに、挟持部２３の長手方向第２端部２６側に延びて長手方向第２端部２６から一部が突出している。第２変形抑制部材４２の第２固定部６２は、第２エンドプレート２２の第２挿通部３０のうち、長手方向第２端部２６側の第２挿通部３０と重ね合わせて設けられるとともに、挟持部２３の長手方向第２端部２６に向けて延びて長手方向第２端部２６から一部が突出している。そして、第２変形抑制部材４２において、第１固定部５２の第１挿通孔５４には、第２固定部６２の第２挿通孔６４に向けてボルトＢ１が挿通されている。第２変形抑制部材４２において、第１挿通孔５４に挿通されたボルトＢ１は、第１固定部５２、第１エンドプレート２１の第２挿通部３０、各電池ホルダ１３、第２エンドプレート２２の第２挿通部３０及び第２固定部６２を挿通してナットＮ１に螺合されている。これにより、第２変形抑制部材４２は、各挟持部２３の長手方向第２端部２６を含んで第１エンドプレート２１及び第２エンドプレート２２に電池体１１を跨いで架設されている。すなわち、第２変形抑制部材４２によって各エンドプレート２１，２２における挟持部２３の長手方向第２端部２６が挟持されている。
【００２９】
各変形抑制部材４１，４２は、第１延設部５３の端部に設けられた第１固定部５２が第１エンドプレート２１に固定され、第２延設部６３の端部に設けられた第２固定部６２が第２エンドプレート２２に固定されている。したがって、各変形抑制部材４１，４２の両端部が第１エンドプレート２１及び第２エンドプレート２２に固定されている。
【００３０】
各変形抑制部材４１，４２の第１延設部５３及び第２延設部６３は、電池セル１２の並設方向に延びている。そして、第１延設部５３と第２延設部６３とは、電池セル１２の並設方向と直交する方向に電池体１１から離間している。
【００３１】
第１エンドプレート２１の第１挿通部２９のうち、長手方向第１端部２５側の第１挿通部２９には、第２エンドプレート２２の第１挿通部２９のうち、長手方向第１端部２５側の第１挿通部２９に向けてボルトＢ１が挿通されている。ボルトＢ１は、第１エンドプレート２１の第１挿通部２９、各電池ホルダ１３及び第２エンドプレート２２の第１挿通部２９を挿通してナットＮ１に螺合されている。
【００３２】
第１エンドプレート２１の第２挿通部３０のうち、長手方向第１端部２５側の第２挿通部３０には、第２エンドプレート２２の第２挿通部３０のうち、長手方向第１端部２５側の第２挿通部３０に向けてボルトＢ１が挿通されている。ボルトＢ１は、第１エンドプレート２１の第２挿通部３０、各電池ホルダ１３及び第２エンドプレート２２の第２挿通部３０を挿通してナットＮ１に螺合されている。各ボルトＢ１及び各ナットＮ１は、第１エンドプレート２１及び第２エンドプレート２２に対して複数の電池セル１２を拘束する拘束荷重を付与している。このため、ボルトＢ１及びナットＮ１が拘束部材となる。
【００３３】
上記した電池モジュール１０のエンドプレート２１，２２のモジュール固定部２４は、固定ボルトＢ２によって筐体７１の壁面に固定されている。したがって、エンドプレート２１，２２における被固定部材に固定される固定端は、モジュール固定部２４が設けられた挟持部２３の長手方向第１端部２５である。また、挟持部２３の長手方向第２端部２６は、筐体７１に固定されておらず非固定端となっている。
【００３４】
次に、本実施形態の電池モジュール１０の作用について説明する。
電池セル１２の電極には、使用に伴って被膜が形成されていき、使用期間が長くなるにつれて電池セル１２が膨張していく。電池セル１２が膨張すると、隣り合う電池セル１２同士は互いに押し合う。すると、各電池セル１２には並設方向の両側に向けた力が作用する。第１エンドプレート２１及び第２エンドプレート２２には、電池セル１２からの荷重が加わる。各変形抑制部材４１，４２が設けられていない場合、各エンドプレート２１，２２の挟持部２３は、長手方向第１端部２５が筐体７１に固定されており、長手方向第２端部２６が筐体７１に固定されていないため、長手方向第２端部２６同士が離れるように変形しようとする。具体的にいえば、各エンドプレート２１，２２の挟持部２３とモジュール固定部２４との交わる角を基点として、各エンドプレート２１，２２の長手方向第２端部２６同士が離れる方向に変形しようとする。
【００３５】
本実施形態のように各変形抑制部材４１，４２を、長手方向第２端部２６を含んで各エンドプレート２１，２２に架設していると、第１エンドプレート２１と第２エンドプレート２２とが変形するためには、第１延設部５３及び第２延設部６３を電池セル１２の並設方向に伸びるように変形させる必要がある。このため、第１エンドプレート２１と、第２エンドプレート２２とが変形する荷重は、各変形抑制部材４１，４２を設けない場合に比べて大きくなり、第１エンドプレート２１と第２エンドプレート２２とが変形し難くなる。したがって、各変形抑制部材４１，４２は、電池セル１２の膨張に伴う第１エンドプレート２１の長手方向第２端部２６と第２エンドプレート２２の長手方向第２端部２６との離間を抑制している。
【００３６】
また、各変形抑制部材４１，４２の第２部材６１は、ネジ６７を緩めることで、溝部５６内を第１延設部５３の延設方向に向けて移動することができる。このため、電池モジュール１０の各部材の製造誤差によって、第１エンドプレート２１と第２エンドプレート２２との間の寸法が異なっていても、第１部材５１の第１延設部５３と第２部材６１の第２延設部６３の位置を調整、すなわち、第１重合部位５９と第２重合部位６９の重なり量を調整することで、電池モジュール１０に合わせて各変形抑制部材４１，４２の長さを調整することができる。
【００３７】
また、図５に示すように、電池モジュール１０を筐体７１に固定するときには、まずケース本体７２の開口部７２ａを鉛直方向上方に向けて、開口部７２ａからケース本体７２の内部に電池モジュール１０を収容する。電池モジュール１０は、吊り具８１によって吊られた状態でケース本体７２に収容される。この際、吊り具８１を電池モジュール１０に掛止する必要があるが、各変形抑制部材４１，４２の第１延設部５３及び第２延設部６３が電池体１１から電池セル１２の並設方向と直交する方向に離間して設けられているため、吊り具８１を各変形抑制部材４１，４２に掛止することができる。また、吊り具８１を第１延設部５３の第１凹部５８及び第２延設部６３の第２凹部６６に掛止することで、吊り具８１の位置ずれを抑止することができる。そして、電池モジュール１０をケース本体７２に収容した後は、各エンドプレート２１，２２のモジュール固定部２４に固定ボルトＢ２を挿通するとともに固定ボルトＢ２をケース本体７２に螺合することで、電池モジュール１０が固定される。電池モジュール１０をケース本体７２に固定した後、蓋７３によってケース本体７２の開口部７２ａを閉塞する。
【００３８】
したがって、上記実施形態によれば、以下のような効果を得ることができる。
（１）各変形抑制部材４１，４２は、各エンドプレート２１，２２の長手方向第２端部２６を含んで架設されている。このため、電池セル１２が膨張して、各エンドプレート２１，２２が変形しようとしても、各変形抑制部材４１，４２によって変形が抑制される。このため、各エンドプレート２１，２２から電池セル１２への拘束荷重が偏りにくい。
【００３９】
（２）各変形抑制部材４１，４２の第１延設部５３及び第２延設部６３は、電池体１１から電池セル１２の並設方向と直交する方向に離間して設けられている。このため、電池セル１２から各変形抑制部材４１，４２までの絶縁距離を長くすることができる。また、第１延設部５３及び第２延設部６３と電池体１１との間には隙間ができるため、この隙間を利用して第１延設部５３及び第２延設部６３に吊り具８１を掛止することができる。
【００４０】
（３）第１延設部５３に第１凹部５８を設け、第２延設部６３に第２凹部６６を設けることで、吊り具８１の位置ずれを抑制することができる。
（４）各変形抑制部材４１，４２は、第１部材５１と第２部材６１とを有している。第１部材５１の第１延設部５３と第２部材６１との第２延設部６３の位置を調整することで、電池モジュール１０に合わせて各変形抑制部材４１，４２の長さ、すなわち、第１固定部５２と第２固定部６２の対向する面の距離を調整することができる。したがって、各変形抑制部材４１，４２の第１固定部５２と第１エンドプレート２１との間や、第２固定部６２と第２エンドプレート２２との間に隙間ができることが抑制され、各エンドプレート２１，２２の変形を適切に抑制することができる。
【００４１】
（５）各エンドプレート２１，２２に互いに近付く方向に拘束荷重を加えているボルトＢ１及びナットＮ１を、各変形抑制部材４１，４２を固定するためのボルトＢ１及びナットＮ１として兼用している。このため、変形抑制部材４１，４２を固定するための部材を別に設ける場合に比べて、部品点数の削減が測られる。
【００４２】
なお、実施形態は、以下のように変更してもよい。
○変形抑制部材は、３個以上設けられていてもよいし、単数であってもよい。
○各変形抑制部材４１，４２は、単一の部材から構成されていてもよい。
【００４３】
○各変形抑制部材４１，４２は、各エンドプレート２１，２２に互いに近付く方向に荷重を加えているボルトＢ１及びナットＮ１とは異なる部材で各エンドプレート２１，２２に固定されていてもよい。例えば、接着剤などで固定されていてもよいし、拘束部材として機能していないボルトを第１固定部５２及び第２固定部６２に挿通させて、各エンドプレート２１，２２に螺合してもよい。
【００４４】
○電池モジュール１０をケース本体７２に収容するときに吊り具８１を用いない場合や、吊り具８１の位置ずれを他の部材などで規制できる場合には、第１凹部５８及び第２凹部６６を設けなくてもよい。
【００４５】
○電池体１１は、電池セル１２のみで構成されていてもよい。すなわち、電池セル１２を保持する電池ホルダ１３を有していなくてもよい。
○被固定部材は、産業車両に搭載されるカウンタウェイトなどであってもよい。
【００４６】
○各エンドプレート２１，２２は、モジュール固定部２４を有さず、別体の固定部材によって筐体７１に固定されていてもよい。
【符号の説明】
【００４７】
Ｂ１…ボルト、Ｎ１…ナット、１０…電池モジュール、１１…電池体、１２…電池セル、２１…第１エンドプレート、２２…第２エンドプレート、２５…長手方向第１端部、２６…長手方向第２端部、４１…第１変形抑制部材、４２…第２変形抑制部材、５１…第１部材、５２…第１固定部、５６…溝部、６１…第２部材、６２…第２固定部、６７…ネジ、７１…筐体。
【図１】
2015230765.tif 000003
【図２】
2015230765.tif 000004
【図３】
2015230765.tif 000005
【図４】
2015230765.tif 000006
【図５】
2015230765.tif 000007